(57)【要約】【課題】竪樋と地中に埋設された排水管とを作業性よく接続し、雨水をスムースに排出するとともに、意匠性にも優れた排水管カバーを提供する。【解決手段】竪樋２と排水管３とを接続するための排水管カバー１であって、該排水管カバー１は、上記竪樋２を挿入する竪樋挿入部１１と、該竪樋挿入部１１に延設された継手部１３と、この継手部１３を囲繞するように設けられたカバー部１２とからなり、上記竪樋挿入部１１には竪樋２の下端部２１を仮固定するための仮固定部１１２が設けられたことを特徴とする。【選択図】図３
2005113448.tif 000002
【特許請求の範囲】
【請求項１】
竪樋と排水管とを接続するための排水管カバーであって、該排水管カバーは、上記竪樋を挿入する竪樋挿入部と、該竪樋挿入部に延設された継手部と、この継手部を囲繞するように設けられたカバー部とからなり、上記竪樋挿入部には竪樋の下端部を仮固定するための仮固定部が設けられたことを特徴とする排水管カバー。
【請求項２】
上記仮固定部が、上記竪樋挿入部の底部をテーパ構造とするとともに、押し込まれた竪樋の下端部を弾性係止するようにされた請求項１に記載の排水管カバー。
【請求項３】
上記竪樋が角筒形であるとともに、上記継手部が排水管に内嵌する円筒形とされた請求項１に記載の排水管カバー。
【請求項４】
上記竪樋挿入部と、該竪樋挿入部に延設された継手部と、この継手部を囲繞するように設けられたカバー部とを弾性を有する合成樹脂で一体的に形成してなる請求項１に記載の排水管カバー。
【発明の詳細な説明】
【技術分野】
【０００１】
本発明は、排水管カバーに関する。さらに詳しくは、竪樋と地中に埋設された排水管とを接続するとともに、雨水をスムースに排出することのできる排水管カバーの構造に関する。
【背景技術】
【０００２】
従来、地中に埋設された排水管に、排水管カバーを用いて竪樋を接続し、雨水を排出する方法の一例としては、まず、排水管と中心線を合わせた竪樋を、その下端部が地面と所定の間隔となるように位置決めして駆体に仮取付けし、そこで、一度竪樋を外して上記間隔を広げ、排水管カバーを嵌め込む方法が知られている。このとき、嵌め込んだ上記排水管カバーを下げるとともに、排水管カバーの継手部と上記排水管とを接続して竪樋を元の位置に戻し、最後に控え金具等で本取付けして施工が完了する。
【特許文献１】実開平６−２８０５３号公報（第１−２頁、第２図）
【特許文献２】特開平８−２３９９７１号公報（第１−３頁、第１図）
【特許文献３】特開平８−１６５７６７号公報（第１−３頁、第１図、第２図）
【発明の開示】
【発明が解決しようとする課題】
【０００３】
しかしながら、上記したように、従来技術においては、一旦位置決めし、駆体に仮取付けた竪樋を外し、排水管カバーを嵌め込んだ後、竪樋を元の位置に戻し、本取付けするという繁雑な作業を要するとともに、施工現場に応じて竪樋の下端部と地面との間隔を調整する必要がある。そこで、本発明は上記問題点を解決して、竪樋と地中に埋設された排水管とを作業性よく接続し、雨水をスムースに排出するとともに、意匠性にも優れた排水管カバーを提供することをその課題とする。
【課題を解決するための手段】
【０００４】
本発明は、上記課題を解決するためにつぎのような技術的手段を講じている。すなわち、本発明によれば、竪樋と排水管とを接続するための排水管カバーであって、該排水管カバーは、上記竪樋を挿入する竪樋挿入部と、該竪樋挿入部に延設された継手部と、この継手部を囲繞するように設けられたカバー部とからなり、上記竪樋挿入部には竪樋の下端部を仮固定するための仮固定部が設けられたことを特徴とする排水管カバーが提供される。
【０００５】
上記仮固定部が、上記竪樋挿入部の底部をテーパ構造とするとともに、押し込まれた竪樋の下端部を弾性係止するようにすることが好ましい。
【０００６】
上記竪樋が角筒形であるとともに、上記継手部が排水管に内嵌する円筒形とすることが好ましい。
【０００７】
上記竪樋挿入部と、該竪樋挿入部に延設された継手部と、この継手部を囲繞するように設けられたカバー部とを弾性を有する合成樹脂で一体的に形成して排水管カバーとすることが好ましい。弾性を有する合成樹脂としては、ポリ塩化ビニル、ポリプロピレン等が好ましく用いられる。
【発明の効果】
【０００８】
請求項１に記載の発明は上記のとおりであり、とくに、上記竪樋挿入部には竪樋の下端部を仮固定するための仮固定部が設けられているため、排水管カバーは竪樋の下部に一体的に仮固定され、仮固定を解除して排水管カバーを下げることにより継手部と排水管とを容易に接続することが可能となる。したがって、竪樋を駆体へ仮取付けする必要はなく、作業性よく、施工することができる。
【０００９】
上記仮固定部が、上記竪樋挿入部の底部をテーパ構造として、押し込まれた竪樋の下端部を弾性係止するようにされているため、仮固定された排水管カバーを下方にずらすだけで上記竪樋の下端部との弾性係止を容易に解除することができる。
【００１０】
上記竪樋が角筒形であるとともに、上記継手部が排水管に内嵌する円筒形とされているため、竪樋をデザイン性よく設けることができ、また、円筒形の継手部は、方向性を考慮することなく、容易に排水管に内嵌され、雨水を排出することができる。
【００１１】
上記竪樋挿入部と、該竪樋挿入部に延設された継手部と、この継手部を囲繞するように設けられたカバー部とを弾性を有する合成樹脂を一体的に形成して排水管カバーとしているため、地表面に露出した継手部と排水管との接続部が目隠しされ、意匠性よく竪樋と排水管とを接続することができる。
【発明を実施するための最良の形態】
【００１２】
以下、本発明の実施形態について、図面を参照して詳細に説明する。図１は、本発明にかかる排水管カバー１を示す一部破断斜視図であり、図２は該排水管カバー１の平面図である。上記排水管カバー１は、ポリ塩化ビニルの成形品であり、角筒形の竪樋を受けるとともに、円筒形の排水口に雨水を流すように構成されている。図１、図２から明らかなように、上記排水管カバー１は、竪樋を挿入する竪樋挿入部１１と、竪樋挿入部１１に延設された継手部１３と、この継手部１３を囲繞するように、同心円状に設けられたカバー部１２とからなり、上記竪樋挿入部１１は、竪樋外寸よりも大きい入口１１１を有しているとともに、その底部にはテーパ構造の仮固定部１１２が設けられている。
【００１３】
図３、図４は、上記排水管カバー１を用い、竪樋２と地中に埋設された排水管３とを接続する操作を示すための説明図である。まず、図３の側断面図に示すように、竪樋２を竪樋挿入部１１の入口１１１に挿入し、押し込んで、竪樋挿入部１１の底部に設けられた仮固定部１１２に竪樋２の下端部２１を仮固定する。このとき、ポリ塩化ビニルからなる仮固定部１１２は、同じくポリ塩化ビニルから構成された竪樋２の下端部２１をしっかりと弾性係止する。
【００１４】
ついで、上記のようにして排水管カバー１をその下端部２１に一体的に仮固定した竪樋２は、駆体への取付け位置を決められ、図示しない控え金具によって建物に取付けられる。このようにして、所定の位置に竪樋２を取付けた後、仮固定された排水管カバー１を、図３に矢印で示すように下方にずらすと上記仮固定部１１２と、竪樋２の下端部２１との弾性係止は容易に解除される。その後、図４の側断面図に示すように、上記継手部１３を地中に埋設された排水管３に内嵌することによって、竪樋２と排水管３とが排水管カバー１を介して接続される。このように本発明の排水管カバー１を用いることによって竪樋２と排水管３とを簡単に作業性よく接続することができるとともに、地表面（Ｇ．Ｌ．）に露出した継手部１３と排水管３との接続部が目隠しされるため、竪樋２と排水管３とを、意匠性よく接続することが可能となる。
【図面の簡単な説明】
【００１５】
【図１】本発明にかかる排水管カバーを示す一部破断斜視図である。
【図２】本発明にかかる排水管カバーを示す平面図である。
【図３】上記排水管カバーを用い、竪樋と地中に埋設された排水管とを接続する操作を示す説明図である。
【図４】上記排水管カバーを用い、竪樋と地中に埋設された排水管とを接続する操作を示す説明図である。
【符号の説明】
【００１６】
１        本発明にかかる排水管カバー
１１      竪樋挿入部
１１１    同上入口
１１２    仮固定部
１２      カバー部
１３      継手部
２        竪樋
２１      同上下端部
３        排水管
【図１】
2005113448.tif 000003
【図２】
2005113448.tif 000004
【図３】
2005113448.tif 000005
【図４】
2005113448.tif 000006